(57)【要約】      （修正有）【課題】仕上げ品質、作業上の注意事項、顧客からの特別依頼事項その他をクリーニング作業者に確実に伝達できるように様々に組み合わせて使用できる洗濯作業指示用タグを提供する。【解決手段】クリーニング品Ｃに取り付けることでクリーニング作業の内容を指示、伝達、依頼する洗濯作業指示用タグであって、耐水性素材によって形成したタグ本体１に、クリーニング作業の各種内容を表示する作業指示域部２と、クリーニング品に取り付ける識別タグＴに、あるいは他の洗濯作業指示タグ本体自体に連結する連結部３とを設ける。洗濯作業指示タグ本体は、大きさ、色彩、またクリーニング作業の各種内容に応じてそれぞれで異なる作業内容を各別に表示している複数種類として形成する。また連結部は、洗濯作業指示タグ本体から作業指示域部の外方に突出状にして形成する。【選択図】図１
0003220092.tif 000002
【実用新案登録請求の範囲】
【請求項１】
クリーニング品に取り付けられることでクリーニング作業の内容を指示、伝達、依頼する洗濯作業指示用タグであって、耐水性ある素材によって形成された洗濯作業指示タグ本体に、クリーニング作業の内容を指示すべく、各種の作業内容等が表示される作業指示域部と、クリーニング品に取り付けられる識別タグに、あるいは他の洗濯作業指示タグ本体自体に連結する連結部とを設けたことを特徴する洗濯作業指示用タグ。
【請求項２】
選択作業指示タグ本体は、大きさ、色彩が異なる複数種類として形成してある請求項１に記載の洗濯作業指示用タグ。
【請求項３】
作業指示域部は、クリーニング作業の各種内容に応じてそれぞれで異なる作業内容が各別に表示された複数種類として形成してある請求項１または２に記載の洗濯作業指示用タグ。
【請求項４】
連結部は、洗濯作業指示タグ本体から作業指示域部の外方に突出状にして形成してある請求項１乃至３のいずれかに記載の洗濯作業指示用タグ。
【考案の詳細な説明】
【技術分野】
【０００１】
この考案は、例えばクリーニング取次店等において、洗濯物であるクリーニング品のクリーニングの依頼受付時に、仕上げ品質、作業上の注意事項、顧客からの特別依頼事項その他をクリーニング作業者に確実に伝達できるように様々に組み合わせてクリーニング品に添付できるようにした洗濯作業指示用タグに関する。
【背景技術】
【０００２】
従来から、クリーニング取次店等において、クリーニング品の受付時には、仕上げ品質、クリーニング作業時の注意事項、処理すべきシミ箇所の指示その他を確認し、クリーニング作業者に伝達するために、これらを指示するいわゆる洗濯タグがクリーニング品にステープラー等によって添付されている。この洗濯タグは、所定の指示や伝達事項をチェックしたり、記載したりできるように耐水性ある紙片を素材として形成されている。
【０００３】
また、近時はこの受付事務等をコンピュータ化することで作業上の効率化を図るべく、例えば特許文献１に示されるクリーニング用ＩＣタグ、特許文献２に示されるランドリー用ＲＦＩＤタグ、またステープラー針による危険性を除去すべく接着式構成とされる特許文献３に示される洗濯用タグ等が提案されている。
【先行技術文献】
【特許文献】
【０００４】
【特許文献１】特開２００６−９８８６６号公報
【特許文献２】特開２０１３−４３０３７号公報
【特許文献３】特開平１０−１３３５８３号公報
【考案の概要】
【考案が解決しようとする課題】
【０００５】
ところが上述した従来提案の洗濯用タグは、ＩＣチップ等を組み込む場合には、これらの情報の入出力のためのコンピュータマシンが必要で高価となるばかりでなく、接着式の洗濯タグであっても、これによる指示・伝達は記入、チェックすることに変わりはない。また、これらの指示、伝達事項が多い場合には、洗濯タグ自体が大判化し、取扱いに不便であり、これの解消は容易ではない。
【０００６】
そこでこの考案は叙上のような従来存した諸事情に鑑み案出されたもので、その目的は例えばクリーニング取次店等においてクリーニングを依頼されるとき、適数の指示・伝達事項が記入、記載されている分割された複数の各種の洗濯作業指示タグを適宜に組み合わせ連結することで、依頼者・顧客からの要望、指示その他をクリーニング作業者に的確に指示、伝達できるようにした洗濯作業指示用タグを提供することにある。
【課題を解決するための手段】
【０００７】
上述した課題を解決するため、この考案にあっては、クリーニング品Ｃに取り付けられることでクリーニング作業の内容を指示、伝達、依頼する洗濯作業指示用タグであって、耐水性ある素材によって形成された洗濯作業指示タグ本体１に、クリーニング作業の内容を指示すべく、各種の作業内容等が表示される作業指示域部２と、クリーニング品Ｃに取り付けられる識別タグＴに、あるいは他の洗濯作業指示タグ本体１自体に連結する連結部３とを設けたことを特徴する。
洗濯作業指示タグ本体１は、大きさ、色彩が異なる複数種類として形成することができる。
作業指示域部２は、クリーニング作業の各種内容に応じてそれぞれで異なる作業内容が各別に表示された複数種類として形成することができる。
連結部３は、洗濯作業指示タグ本体１から作業指示域部２の外方に突出状にして形成することができる。
【０００８】
以上のように構成されたこの考案に係る洗濯作業指示用タグにあって、クリーニング品Ｃをクリーニングするに際し、そのクリーニング作業の内容に対応した作業指示、依頼、伝達事項その他を表示した洗濯作業指示タグ本体１を適宜に組み合わせてクリーニング品Ｃに取り付けられ、取り付けることで、クリーニング作業者に的確な指示等の伝達を可能にさせる。
大きさ、色彩が異なり、また異なる作業内容が表示された複数種類の洗濯作業指示タグ本体１によって、作業内容その他の区別を容易にさせ、作業を的確に指示し、その指示によって各種作業を実施する上での間違い等を少なくさせる。
クリーニング作業の内容に応じて予め用意される複数種類の洗濯作業指示タグ本体１によって、作業内容に応じた必要とする洗濯作業指示タグ本体１それぞれによる適宜な組み合わせを選択でき、またクリーニング品Ｃに取り付けられた洗濯作業指示タグ本体１の数量の多少による作業の煩瑣の目安の判断にも役立たせる。
作業指示域部２の外方に突出された連結部３は、作業指示域部２に表示の記載内容を隠蔽させずに済み、洗濯作業指示タグ本体１が多連的に複数で連結されていても、これらを一覧的に見ることができ、その視認性を良好にさせる。
【考案の効果】
【０００９】
この考案は以上説明したように構成されているため、クリーニング品Ｃそれぞれに対応したクリーニング作業内容の指示、依頼その他をクリーニング作業者に対して伝達することができ、しかも作業内容が各別に表示されている複数種類の洗濯作業指示タグ本体１の適宜な選択組合せによって必要とする指示等を無駄なく的確に行える。
【００１０】
すなわち、これはこの考案において、洗濯作業指示タグ本体１に、クリーニング作業の内容等が表示される作業指示域部２と、識別タグＴあるいは他の洗濯作業指示タグ本体１自体に連結する連結部３と設けたからである。これによって、必要とするクリーニング作業の指示、依頼等の的確化、異なる作業指示内容の依頼が表示されている洗濯作業指示タグ本体１の選別・組み合わせによる作業指示の合理性その他を図ることができる。
【００１１】
また、洗濯作業指示タグ本体１の大きさ、色彩が異なり、また異なる作業内容等が作業指示域部２に表示された複数種類の洗濯作業指示タグ本体１が用意されていることで、これらの適宜な組合せによって、クリーニング品Ｃに要求されるクリーニング作業等の指示等が的確に行われ、例えばクリーニング品Ｃの取次受付時、作業時その他での誤り、更には仕上げ・引き渡し時のクレームその他を少なくすることに役立つ。
【００１２】
洗濯作業指示タグ本体１に連結部３を突出状にして設けてあるので、この連結部３によって識別タグＴあるいは他の洗濯作業指示タグ本体１に連結でき、しかも作業指示域部２を隠蔽することなく複数で連結できることで、作業指示域部２に表示の作業指示内容等を一覧的に見ることでき、作業内容を容易に確認、理解することができる。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示し、使用状態の一例における斜視図である。
【図２】同じく一例における正面図である。
【図３】同じく他例における正面図で、（Ａ）乃至（Ｇ）として示す。
【考案を実施するための形態】
【００１５】
以下、図面を参照してこの考案を実施するための一形態を説明すると、図において示される符号１は例えば耐水性ある紙片等による素材によって形成されている洗濯作業指示タグ本体である。この洗濯作業指示タグ本体１は、クリーニング作業の多様な内容を指示すべく、各種の作業内容等が表示される作業指示域部２と、クリーニング品Ｃに取り付けられる識別タグＴに、あるいは他の洗濯作業指示タグ本体１自体に連結する連結部３とを有する。
【００１６】
洗濯作業指示タグ本体１は、例えば矩形状を呈し、各種の作業・指示・伝達等の内容を例えば類似する作業等を纏めてグループ化して表示する場合等に、それらの作業群毎の内容・項目に多寡があるのに対応して、例えば大・中・小等の大きさに区分けされたものとして複数種類で形成される。例えば幅員が約８０ｍｍ程度である場合、高さは「大」であると約５５ｍｍ程度（図２（Ａ）参照）、「中」であると約４０ｍｍ程度、「小」であると約３０ｍｍ程度（図２（Ｂ）参照）とされる。もとより、このような例示の大きさに限定されるものではない。
【００１７】
また、洗濯作業指示タグ本体１は、各種の色地のものとして形成でき、作業・指示・伝達の各内容に対応して任意の色彩を選択しておくことで、これらの指示内容の見分けを容易にすることができる。
【００１８】
連結部３は、作業指示域部２の外方に位置するよう洗濯作業指示タグ本体１の一部を突出状に、例えば洗濯作業指示タグ本体１の全体幅員の約１／４程度の幅員で出張らせることで区画形成されている。そして、この連結部３によって、クリーニング品Ｃに添付される例えばクリーニング品Ｃを識別する識別タグＴに、あるいは他の洗濯作業指示タグ本体１に例えばステープラー針Ｐによって連結されるようにしてある。また、作業指示内容が多岐にわたる場合などで他の洗濯作業指示タグ本体１と重ね合わせられるとき、この連結部３が他の作業指示域部２を隠蔽することがないように作業指示域部２の裏面に重ね合わせられて例えばステープラー針Ｐにて連結されるようにしてある。
【００１９】
この連結部３は、作業指示域部２において、作業指示内容が例えば横書きにて表示されるとき、図示のように洗濯作業指示タグ本体１の上部、例えばその右縁部に上方に突出状にして配置形成されている。
【００２０】
作業指示域部２は、洗濯作業指示タグ本体１における前記連結部３以外の余白域部分として区画形成されており、クリーニング作業者に指示、伝達すべき内容にチェック記号を付すように例えば項目毎に四角枠の「□」の表記、特別仕上げ依頼時の料金欄、クリーニング品Ｃにおける注意箇所の指示部位、仕上げ品質、作業確認者名欄、洗濯態様その他が表示されている。
【００２１】
図示を省略したが、この作業指示域部２は、洗濯作業指示タグ本体１の一側面にのみに表示される場合に限らず、また連結部３による連結方向がいずれであっても対応できるように表裏の両側面に同一内容で表示形成しておくことも可能である。
【００２２】
これらは、例えば図３における例えば（Ａ）乃至（Ｇ）として具体的に示されているも、もとよりこれらに限定されるものではない。また、この作業指示域部２には、図示を省略したが、例えば「防水加工」、「シワ加工」、「折り目加工」、「特別仕上」、「のりなし」、「再洗」、「特急（    日午前・午後）」その他の所要の指示、伝達事項その他が予め表示されたものとして用意が可能である。
【００２３】
次にこれの使用の一例を説明すると、例えばクリーニング取次店等において、クリーニング品Ｃに対する各種指示、伝達事項等に対応した表示があるこの考案品を予め用意しておくのである。そして顧客・依頼者からクリーニング品Ｃを預かったときにクリーニング品Ｃに取り付ける識別タグＴに必要に応じてこの考案品を連結すれば良い。顧客・依頼者から依頼・指示等されたことに応じて、クリーニング品Ｃに対する例えば仕上げ品質の指示、クリーニングと共に実施される各種作業の指示、更にはクリーニング作業者への指示・伝達その他に応じて、予め用意してあるこの考案品を適宜に選択して、必要に応じステープラー針Ｐを介して連結部３によって適数枚を連結し、識別タグＴに連結すれば良い（図１参照）。
【符号の説明】
【００２４】
Ｃ…クリーニング品
Ｔ…識別タグ
Ｓ…ステープラー針
１…洗濯作業指示タグ本体
２…作業指示域部
３…連結部
【図１】
0003220092.tif 000003
【図２】
0003220092.tif 000004
【図３】
0003220092.tif 000005